(57)【要約】【課題】  操作画面の変更ができ、操作性、及び、利便性の高い画像形成装置を提供すること。【解決手段】    操作画面を変更する手段と、変更した操作画面の情報を保存する記憶手段と、前記記憶手段から保存した操作画面の情報を読み込む手段と、読み込んだ操作画面の情報を表示する手段とを備えたことを特徴とする。【選択図】    図６
2008310444.tif 000002
【特許請求の範囲】
【請求項１】
操作画面を変更する手段と、
変更した操作画面の情報を保存する記憶手段と、
前記記憶手段から保存した操作画面の情報を読み込む手段と、
読み込んだ操作画面の情報を表示する手段と
を備えたことを特徴とする画像形成装置。
【請求項２】
請求項１に記載の画像形成装置において、
ユーザ認証手段と、
認証されたユーザ毎に操作画面の情報を保存する記憶手段と、
ユーザ毎に操作画面の情報を読み込む手段とを備え、
ユーザ毎に変更した操作画面の情報を保存、読み込み、表示することを特徴とする画像形成装置。
【請求項３】
請求項１または２のいずれかに記載の画像形成装置において、
変更した操作画面の情報を画面毎に保存する記憶手段と、
画面毎に操作画面の情報を読み込む手段とを備え、
ユーザ毎かつ画面毎に変更した操作画面の情報を保存、読み込み、表示することを特徴とする画像形成装置。
【請求項４】
請求項１ないし３のいずれかに記載の画像形成装置において、
変更した操作画面の情報をネットワークに接続されている記憶装置に送信する手段を備え、変更した操作画面の情報をバックアップすることを特徴とする画像形成装置。
【請求項５】
請求項１ないし４のいずれかに記載の画像形成装置において、
ネットワークに接続されている記憶装置から操作画面の情報をダウンロードする手段を備え、ダウンロードした操作画面を表示することを特徴とする画像形成装置。
【請求項６】
請求項５に記載の画像形成装置において、
ネットワークに接続されている記憶装置を複数記憶する手段を備え、
前記ネットワークに接続されている複数の記憶装置から操作画面の情報をダウンロードすることを特徴とする画像形成装置。
【請求項７】
請求項５または６のいずれかに記載の画像形成装置において、
前記ネットワークに接続されている他装置で編集された後の操作画面の情報を読み込む手段を備え、
操作画面の情報を自装置外で編集して使用することを特徴とする画像形成装置。
【発明の詳細な説明】
【技術分野】
【０００１】
本発明は、画像形成装置に関する。
【背景技術】
【０００２】
画像形成装置としては、コピー機、プリンタ、ファクシミリ装置、スキャナ装置、それらを統合した複合機など様々な装置があげられる。
【０００３】
近年各装置において、数多くの機能が付加されてきており、その影響で各装置の操作画面が複雑化されている。例えば、ある設定を行う際、その設定画面に行くまで多くの操作をしなければならないといったことがある。また、ユーザでは使用しない機能に対してのボタン等も操作画面に表示されており、ユーザの操作性を損ねていた。そのため、ユーザからは操作画面をユーザの使いやすい画面に変更したいと言う要求が多くある。また、異なる画像形成装置を操作する際にも常に同じ操作画面で操作したいと言う要求もある。
【０００４】
本願発明に関連する公知技術としては特許文献１を挙げることができる。
【特許文献１】特開２００１-３０６２０４号公報
【発明の開示】
【発明が解決しようとする課題】
【０００５】
特許文献１は、ユーザ設定共用システム及び画像処理装置に関するものであり、ユーザ毎のカスタマイズを可能とし、カスタマイズした設定情報を共用ファイルとして複数の画像形成装置で使用することで、ユーザの使いやすい画面にカスタマイズでき、かつ異なる画像形成装置を操作する際に同じ操作画面を表示する事を可能としている。
【０００６】
しかし、この従来技術はシステム全体に対してのカスタマイズであり、ボタンサイズ、文字の大きさ等のカスタマイズ設定は全画面での設定となっている。そのため、ボタンサイズを"大"にした場合どんな画面を表示してもボタンサイズが"大"となってしまい、ユーザの利便性に欠けている。
【０００７】
本発明は係る事情に鑑みてなされたものであり、操作画面の変更ができ、操作性、及び、利便性の高い画像形成装置を提供することを目的とする。
【課題を解決するための手段】
【０００８】
請求項１に記載の画像形成装置は、操作画面を変更する手段と、変更した操作画面の情報を保存する記憶手段と、前記記憶手段から保存した操作画面の情報を読み込む手段と、読み込んだ操作画面の情報を表示する手段とを備えたことを特徴とする。
【０００９】
請求項２に記載の画像形成装置は、請求項１に記載の画像形成装置において、ユーザ認証手段と、認証されたユーザ毎に操作画面の情報を保存する記憶手段と、ユーザ毎に操作画面の情報を読み込む手段とを備え、ユーザ毎に変更した操作画面の情報を保存、読み込み、表示することを特徴とする。
【００１０】
請求項３に記載の画像形成装置は、請求項１または２のいずれかに記載の画像形成装置において、変更した操作画面の情報を画面毎に保存する記憶手段と、画面毎に操作画面の情報を読み込む手段とを備え、ユーザ毎かつ画面毎に変更した操作画面の情報を保存、読み込み、表示することを特徴とする。
【００１１】
請求項４に記載の画像形成装置は、請求項１ないし３のいずれかに記載の画像形成装置において、変更した操作画面の情報をネットワークに接続されている記憶装置に送信する手段を備え、変更した操作画面の情報をバックアップすることを特徴とする。
【００１２】
請求項５に記載の画像形成装置は、請求項１ないし４のいずれかに記載の画像形成装置において、ネットワークに接続されている記憶装置から操作画面の情報をダウンロードする手段を備え、ダウンロードした操作画面を表示することを特徴とする。
【００１３】
請求項６に記載の画像形成装置は、請求項５に記載の画像形成装置において、ネットワークに接続されている記憶装置を複数記憶する手段を備え、前記ネットワークに接続されている複数の記憶装置から操作画面の情報をダウンロードすることを特徴とする。
【００１４】
請求項７に記載の画像形成装置は、請求項５または６のいずれかに記載の画像形成装置において、前記ネットワークに接続されている他装置で編集された後の操作画面の情報を読み込む手段を備え、操作画面の情報を自装置外で編集して使用することを特徴とする。
【発明の効果】
【００１５】
請求項１に係る発明によれば、操作画面の変更、表示が可能となり、その分、操作性の向上を図ることが可能となる効果が得られる。
【００１６】
請求項２に係る発明によれば、ユーザ毎に変更した操作画面の情報を保存、読み込み、表示をする事が可能となり、その分、操作性の向上を図ることが可能となる効果が得られる。
【００１７】
請求項３に係る発明によれば、ユーザ毎かつ画面毎に変更した操作画面の情報を保存、読み込み、表示することが可能となり、その分、利便性の向上を図ることが可能となる効果が得られる。
【００１８】
請求項４に係る発明によれば、作成した操作画面の情報をバックアップする事でその分、利便性の向上を図ることが可能となる効果が得られる。
【００１９】
請求項５に係る発明によれば、ダウンロードした操作画面を表示することが可能となり、その分、利便性の向上を図ることが可能となる効果が得られる。
、利便性を向上する効果。
【００２０】
請求項６に係る発明によれば、ネットワークに接続されている複数の記憶装置から操作画面の情報をダウンロードすることができ、その分、利便性の向上を図ることが可能となる効果が得られる。
【００２１】
請求項７に係る発明によれば、ダウンロードした操作画面の情報を編集することが可能となり、その分、利便性の向上を図ることが可能となる効果が得られる。
【発明を実施するための最良の形態】
【００２２】
以下、添付図面を参照しながら、本発明を実施するための最良の形態について説明する。
【００２３】
先ず、図１〜３には、本発明を実施するための最良の形態に係る画像形成装置１００における操作画面変更に関する画面イメージを示す。
【００２４】
図１では、操作画面変更（カスタマイズ）前には画面内に存在した左下の操作ボタンが、操作画面変更（カスタマイズ）後には、存在しない状態となっている。
【００２５】
図２では、操作画面変更（カスタマイズ）前には画面中央部に存在した「Ａ４」の操作ボタンが、操作画面変更（カスタマイズ）後には、存在しない状態となっている。
【００２６】
図３では、操作画面変更（カスタマイズ）前には画面中央部下から右にかけてに存在したボタン群が、操作画面変更（カスタマイズ）後には、存在しない状態となっている。
【００２７】
このように操作画面が変更（カスタマイズ）できることで操作性・利便性が高まる。
【００２８】
図４〜５は、他装置としてのＰＣ３００上での操作画面の編集の画面イメージを示している（詳細後述）。
【００２９】
図に示すように、画像形成装置１００はネットワーク２００を介してＰＣ３００と接続されていて、画像形成装置１００における操作画面が、図５に示すＰＣ３００側の編集画面の操作により、編集できる。
【００３０】
図6は、本発明を実施するための最良の形態に係る画像形成装置１００の構成を示すブロック図である。
【００３１】
同図において、画像処理装置１００は、ネットワーク接続手段７を介してサーバ４００や等が接続されたネットワーク２００に接続されている。
【００３２】
制御部１は、変更する手段２、記憶手段３を介した記憶部１３、表示手段５を介した表示部２３、読み込み手段４、ユーザ認証手段６、ネットワーク接続手段７、送信手段８、指定サーバ記憶手段９等の周辺構成を制御する。
【００３３】
以上の構成の画像形成装置１００における操作画面変更/保存の動作例を図7のフローチャートを参照して説明する。
【００３４】
同図において、機器の操作画面変更モードに入り、変更手段２を使用して、操作画面を変更する（処理Ｓ１０１）。変更後、保存操作を行い、制御部に変更情報保存を要求する（処理Ｓ１０２）。制御部１は指示された操作画面の情報が保存可能かをチェックする（判断Ｓ１０３）。可能であれば（判断Ｓ１０３のＹｅｓ）記憶手段３を使用し、機器の記憶装置に変更した操作画面の情報を保存する（処理Ｓ１０４。変更不可であれば（判断Ｓ１０３のＮｏ）、変更を記憶装置に保存しないで終了する。
【００３５】
画像形成装置１００における、操作画面読み込み/表示の動作例を図8のフローチャートを参照して説明する。
【００３６】
同図において、制御部１に操作画面表示の要求がされる（処理Ｓ２０２）。制御部１は記憶装置に変更された操作画面の情報があるかのチェックをする（判断Ｓ２０２）。変更された操作画面の情報があれば（判断Ｓ２０２のＹｅｓ）、読み込み手段４を使用し、その操作画面の情報を読み込む（処理Ｓ２０３）。変更された操作画面の情報がなければ（判断Ｓ２０２のＮｏ）、読み込み手段４を使用し、標準の操作画面の情報を読み込む（処理Ｓ２０５）。そして、処理Ｓ２０３または処理Ｓ２０５の後は、表示手段５において読み込んだ操作画面の情報を操作部に表示する（処理Ｓ２０４）。
【００３７】
画像形成装置１００における操作画面変更/保存の動作例の別例を図９のフローチャートを参照して説明する。
【００３８】
同図において、機器の操作画面変更モードに入り、変更手段２を使用して、操作画面を変更する（処理Ｓ３０１）、変更後、保存操作を行い、制御部に変更情報保存を要求する（処理Ｓ３０２）。
【００３９】
そして、変更した操作画面保存要求に対して、認証手段６にて認証されたユーザの情報があるかをチェックする（判断Ｓ３０３）。認証ユーザ情報がある場合（判断Ｓ３０３のＹｅｓ）、変更した操作画面の情報に認証ユーザ情報を付加する（処理Ｓ３０４）。なかった場合は（判断Ｓ３０３のＮｏ）、変更した操作画面にユーザ情報を付加しない。
【００４０】
そして、制御部１に保存要求を行い、制御部１は保存可能かをチェックする（判断Ｓ３０５）。可能であれば（判断Ｓ３０５のＹｅｓ）、記憶手段３を使用し、機器の記憶装置に変更した操作画面の情報を保存する（処理Ｓ３０６）変更不可であれば（判断Ｓ３０５のＮｏ）、変更を記憶装置に保存しないで終了する。
【００４１】
画像形成装置１００における操作画面読み込み/表示の動作例を図１０のフローチャートを参照して説明する。
【００４２】
同図において、制御部に操作画面表示の要求がされる（処理Ｓ４０１）。制御部１は認証手段６にて、認証ユーザの情報があるかをチェックする（判断Ｓ４０２）。認証ユーザがある場合（判断Ｓ４０２のＹｅｓ）、読み込み条件に認証されているユーザ情報を付加する（処理Ｓ４０３）。なかった場合は（判断Ｓ４０２のＮｏ）、付加しない。
【００４３】
そして、制御部１は、記憶装置に変更された操作画面の情報があるかのチェックをする（判断Ｓ４０４）。変更された操作画面の情報があれば（判断Ｓ４０４のＹｅｓ）、読み込み手段４を使用し、その操作画面の情報を読み込む（処理Ｓ４０５）。変更された操作画面の情報がなければ（判断Ｓ４０４のＮｏ）、標準の操作画面の情報を読み込む（処理Ｓ４０７）。
【００４４】
そして、表示手段５において読み込んだ操作画面の情報を操作部に表示する（処理Ｓ４０６）。
【００４５】
画像形成装置１００における画面情報送信の動作例を図１１のフローチャートを参照して説明する。
【００４６】
同図において、機器の操作画面変更モードに入り、変更手段２を使用して、操作画面を変更する（処理Ｓ３０１）、そして、制御部１にネットワークに接続されているサーバへ操作画面情報の保存要求を行う（処理Ｓ５０２）。制御部１はネットワーク接続手段７に接続要求を行い、ネットワーク接続手段７は接続を開始するが、接続がＯＫの場合（判断Ｓ５０３のＹｅｓ）、指定されたサーバに接続し（処理Ｓ５０４）、操作画面情報を送信する（処理Ｓ２０５）。接続がＮＧの場合（判断Ｓ５０３のＮｏ）、処理を終了する。
【００４７】
画像形成装置１００における操作画面読み込みの動作例を図１２のフローチャートを参照して説明する。
【００４８】
同図において、制御部１にネットワークに接続されているサーバ指定で操作画面表示要求をする（処理Ｓ６０１）。制御部１はネットワーク接続手段７に接続要求を行う（処理Ｓ６０２）。ネットワーク接続手段７は接続を開始するが、接続がＯＫの場合（判断Ｓ６０３のＹｅｓ）、指定されたサーバに接続し、操作画面情報をダウンロードする利子６０５）。接続がＮＧの場合（判断Ｓ６０３のＮｏ）、指定サーバ記憶手段９を使用し、他のサーバ情報があるかチェックする（判断Ｓ６０７）。他のサーバ情報がある場合（判断Ｓ６０７のＹｅｓ）、記憶装置から他のサーバ情報を取得し（処理Ｓ６０８）、ネットワーク接続手段７に接続要求を行い接続がＯＫの場合（判断Ｓ６０３のＹｅｓ）、指定されたサーバに接続し（処理Ｓ６０４）、操作画面情報をダウンロードする（処理Ｓ６０５）。他のサーバ情報がない場合（判断Ｓ６０７のＮｏ）、処理を終了する。
【００４９】
画像形成装置１００における操作画面情報のPCにての読み込み/編集の動作例を図１３のフローチャートを参照して説明する。
【００５０】
同図において、画像形成装置１００に対し、ＰＣ３００からブラウザ（ＩＥ等）を使用し、接続要求がされる（処理Ｓ７０１）。制御部１は接続可能かをチェックする（判断Ｓ７０２）。接続可能であれば（判断Ｓ７０２のＹｅｓ）、ネットワーク接続手段７を使用し、ＰＣとの接続を開始する。接続不可であれば（判断Ｓ７０２のＮｏ）、終了する。
【００５１】
判断７０２かＹｅｓの場合、ＰＣ３００から操作画面編集要求がされる（処理Ｓ７０３）。制御部１は操作画面の編集可否をチェックする（判断Ｓ７０４）。編集可能であれば（判断Ｓ７０４のＹｅｓ）、ＰＣ３００に対し、編集可の応答をする。編集不可であれば（判断Ｓ７０４のＮｏ）、終了する。
【００５２】
判断Ｓ７０４がＹｅｓの場合、ＰＣ３００から編集したい操作画面が指定される（処理Ｓ７０５）。制御部１は読み込み手段４を使用し、指定された操作画面情報を読み込み（処理Ｓ７０６）、ネットワーク接続手段７からＰＣ３００に操作画面を送信する。ＰＣはブラウザ上にて操作画面の編集する（処理Ｓ７０７）。ＰＣ３００は編集した操作画面情報を機器に対し保存要求をする（処理Ｓ７０８）。制御部１は保存要求に対し、記憶手段３を使用して記憶装置に編集された操作画面情報を保存する（処理Ｓ７０９）。
【００５３】
このように、本発明を実施するための最良の形態よれば、操作画面の変更ができ、操作性、及び、利便性を飛躍的に高めることが可能となる
【００５４】
なお、以上本発明を実施するための最良の形態について説明したが、本発明は上記のものに限定されるものではなく、その要旨を逸脱しない範囲で種々変更可能であることはいうまでもない。
【図面の簡単な説明】
【００５５】
【図１】本発明を実施するための最良の形態に係る画像形成装置における操作画面変更に関する画面イメージを示す図である。
【図２】本発明を実施するための最良の形態に係る画像形成装置における操作画面変更に関する画面イメージを示す図である。
【図３】本発明を実施するための最良の形態に係る画像形成装置における操作画面変更に関する画面イメージを示す図である。
【図４】本発明を実施するための最良の形態に係る画像形成装置と他装置としてのＰＣとの接続態様について示す図である。
【図５】他装置としてのＰＣ上での操作画面の編集の画面イメージ等を示す図である。
【図６】本発明を実施するための最良の形態に係る画像形成装置の構成を示すブロック図である。
【図７】本発明を実施するための最良の形態画像形成装置における操作画面変更/保存の動作例のフローチャートを示す図である。
【図８】本発明を実施するための最良の形態画像形成装置における操作画面読み込み/表示の動作例のフローチャートを示す図である。
【図９】本発明を実施するための最良の形態画像形成装置における操作画面変更/保存の動作例の別例のフローチャートを示す図である。
【図１０】本発明を実施するための最良の形態画像形成装置における操作画面読み込み/表示の動作例のフローチャートを示す図である。
【図１１】本発明を実施するための最良の形態画像形成装置における画面情報送信の動作例のフローチャートを示す図である。
【図１２】本発明を実施するための最良の形態画像形成装置における操作画面読み込みの動作例のフローチャートを示す図である。
【図１３】本発明を実施するための最良の形態画像形成装置における操作画面情報のＰＣにての読み込み/編集の動作例のフローチャートを示す図である。
【符号の説明】
【００５６】
１００  画像形成装置
【図６】
2008310444.tif 000003
【図７】
2008310444.tif 000004
【図８】
2008310444.tif 000005
【図９】
2008310444.tif 000006
【図１０】
2008310444.tif 000007
【図１１】
2008310444.tif 000008
【図１２】
2008310444.tif 000009
【図１３】
2008310444.tif 000010
【図１】
2008310444.tif 000011
【図２】
2008310444.tif 000012
【図３】
2008310444.tif 000013
【図４】
2008310444.tif 000014
【図５】
2008310444.tif 000015